(57)【要約】      （修正有）【課題】従来のマウスパッドの機能を大幅に向上させ、種々の情報を記憶させて、その情報を活用できるようにすること。【解決手段】マウスパッド本体２に単数又は複数のＩＣタグ５を取り付け、このＩＣタグ５に所望の情報を記憶させておくことができるようにした。このＩＣタグ５を取り付けたマウスパッド１は、該ＩＣタグ５の情報を読み取るリーダーを備えたマウス４０と、該マウス４０で読み取った情報を画面に表示するパソコン５０とを組み合わせた情報処理システムとして使用する。【選択図】図１
2006318133.tif 000002
【特許請求の範囲】
【請求項１】
マウスパッド本体に単数又は複数のＩＣタグを取り付けたことを特徴とするマウスパッド。
【請求項２】
ＩＣタグに、会社情報、製品情報等の販売促進データを記録した請求項１に記載のマウスパッド。
【請求項３】
マウスパッドに対する固着手段が設けられていることを特徴とするＩＣタグ。
【請求項４】
シートに請求項３に記載のＩＣタグを複数個に取り付けたことを特徴とするＩＣタグ保持シート。
【請求項５】
ＩＣタグを取り付けたマウスパッドと、該マウスパッドのＩＣタグに記憶されている情報を読み取るリーダーを備えたマウスと、該マウスで読み取った情報を画面に表示するパソコンとを備えてなる情報処理システム。
【請求項６】
パソコン画面の情報をマウスを介してマウスパッドのＩＣタグに記録できるように構成した請求項２に記載の情報処理システム。
【発明の詳細な説明】
【技術分野】
【０００１】
本発明は、多機能を有するマウスパッドと、それを使用する情報処理システムに関するものである。
【背景技術】
【０００２】
マウスパッドは、マウスを円滑に移動させるとともに、マウスに設けられているトラックボールの転動を助け、コンピュータのカーソルを正確に移動させるために使用されるもので、マウスとの接触面にフィルム層や樹脂層を設け、その下側に発砲ウレタン層等の弾性層を設けたもの等、種々のものが実用化されている。これら、従来のマウスパッドの中には、浮遊ゴミの付着を防止するとともに、ワイピング効果により清浄化をはかるものも提案されている。
【０００３】
従来のマウスパッドは、上記のように、マウスの円滑な移動とトラックボールの転動を助けるという機能を有するものであるが、中には、それ以外の機能を備えたものも提案されている（特許文献１）。
【０００４】
【特許文献１】特開平１０−１２４２５２号公報
【０００５】
上記特許文献１に記載されているものは、マウスパッドの表面に凹部を設け、該凹部にテンキーユニットを嵌合して設けたもので、テンキーボードがなくても、当該マウスパッドのテンキーを利用して数値情報を入力することができるとされている。
【発明の開示】
【発明が解決しようとする課題】
【０００６】
上記特許文献１に記載されているマウスパッドは、マウスの移動を助けるという本来の機能の他に、当該マウスパッドで数値情報を入力できるという機能を備えたもので、従来のマウスパッドよりも便利なものと考えられる。しかしながら、実際には、テンキーユニットの取り付け等のために複雑な構造となり、価格的にも大幅に高くなるという問題点があると推測される。また、単に数値情報の入力しかできないので、機能的に十分満足できるものとはいえない。
【０００７】
そこで本発明は、従来のマウスパッドの機能を大幅に向上させ、種々の情報を適宜入力できるものとすることを課題としている。
【課題を解決するための手段】
【０００８】
上記課題を解決するため、本発明は次のような構成とした。まず、請求項１に記載のマウスパッドは、マウスパッド本体に単数又は複数のＩＣタグを取り付けたことを特徴としている。また、請求項２に記載のマウスパッドは、上記請求項１に記載のマウスパッドにおいて、そのＩＣタグに、会社情報、製品情報等の販売促進データを記録したことを特徴とするものである。
【０００９】
次に、請求項３に記載のＩＣタグは、マウスパッドに対する固着手段が設けられていることを特徴としている。また、請求項４に記載のＩＣタグ保持シートは、上記請求項３に記載のＩＣタグをシートに複数個取り付けたことを特徴としている。
【００１０】
さらに、請求項５に記載の情報処理システムは、ＩＣタグを取り付けたマウスパッドと、該マウスパッドのＩＣタグに記憶されている情報を読み取るリーダーを備えたマウスと、該マウスで読み取った情報を画面に表示するパソコンとを備えてなる。また、請求項６に記載の発明は、上記請求項３に記載の発明において、さらに、パソコン画面の情報をマウスを介してマウスパッドのＩＣタグに記録できるように構成したものである。
【発明の効果】
【００１１】
請求項１に記載の発明は、マウスパッド自体を情報源として利用できるようにするもので、無線通信によって情報を伝達するＩＣタグをマウスパッドに取り付け、当該ＩＣタグには、種々の情報を記憶しておくことができるようにしている。このため、このＩＣタグに記憶している情報をリーダー、好ましくはマウスに付設したリーダーで読み込むことにより、効果的に活用することができる。請求項２に記載の発明のように、マウスパッドに取り付けたＩＣタグに広告や販売促進用の情報を記憶しておけば、このマウスパッドを使用する人がその情報を読み取るので、効果的に宣伝を行うことができる。
【００１２】
次に、請求項３に記載のＩＣタグは、マウスパッドに対する固着手段が設けられているので、その固着手段を活用してマウスパッドに簡単に取り付けることができる。このため、種々の情報を記憶したＩＣタグをマウスパッドに対する取り付け用として供給すれば、需要家がこれを手軽に自己のマウスパッドに取り付けて使用することができるので便利である。また、請求項４に記載のＩＣタグ保持シートは、請求項３に記載のＩＣタグ複数個を共通のシートに保持したもので、微小なＩＣタグを紛失しないように保持することができるとともに、任意のＩＣタグ又はすべてのＩＣタグを選んでマウスパッドに取り付けることができるので、便利である。
【００１３】
さらに、請求項５に記載の情報処理システムは、上記ＩＣタグを取り付けたマウスパッドと、該ＩＣタグに記憶されている情報を読み取るリーダを備えたマウスと、該マウスが読み取った情報を画像に表示するコンピュータとを備えたもので、マウスパッドのＩＣタグに記憶された情報を適宜読み取ってコンピュータによる情報処理に活用することが可能となり、実用上便利なものとなる。さらに、請求項６に記載の発明は、パソコン画面の情報をマウスを介してマウスパッドのＩＣタグに記録できるように構成しているので、ＩＣタグの情報を適宜書き換えたり追加したりできるようになり、実用上さらに便利なものとなる。
【発明を実施するための最良の形態】
【００１４】
以下、図面に表された実施形態について具体的に説明する。図１は本発明に係るマウスパッドを例示するもので、このマウスパッド１は、マウスパッド本体２にＩＣタグ５が取り付けられている。具体的には、ＩＣタグ５がマウスパッド本体２の中に埋め込まれていて、表面には露出しないようになっている。ＩＣタグ５の取り付け位置は、マウスパッド本体２の裏面側とするのが好ましい。この場合、マウスパッド本体２の裏面に直接貼り付けてもよいが、マウスパッド本体２の裏面に微小な凹部を形成して、そこへ嵌め込んで固着するのが好ましい。これは、マウスの滑りの邪魔にならないようにするためであるが、場合によっては、マウスパッドの表面に貼り付けておいてもよい。この場合は、ＩＣタグ５の表面に滑らかなシートを被せておくのが好ましい。
【００１５】
マウスパッド本体２は、従来公知の各種材質で作られるもので、例えば、柔軟な樹脂をシート状に成形した物、ゴムをシート状に成形した物、アクリル樹脂の板等のほか、プラスチックシートと紙をラミネートしたもの等を使用するものもある。要は、マウスのボールを滑ることなく、マウスの移動に精度良く追随して回転させることのできるものであればよい。
【００１６】
ＩＣタグ５は、それに書き込まれている情報を無線を使ってリーダで読み取るので、無線タグ、電子タグとも呼ばれている。この種のＩＣタグには、電源として電池を内蔵する能動型のものもあるが、商品の識別等に広く使用されているのは、リーダからの電波を電源とする受動型のものであり、図示例のＩＣタグ５も受動型のものである。なお、ＩＣタグは、読み取り時における上記リーダとの距離によって、密着型、近接型、近傍型、遠隔型等に分類されるが、本発明では、近接型乃至近傍型のＩＣタグが好ましい。
【００１７】
最近、ＩＣタグに記憶される情報は、かなりの大きさとなってきており、従来広く使用された商品の識別記号等のみならず、時刻表、電話帳、簡単な辞書や地図等のほか、販売促進用のデータ等の情報も記憶しておくことができるようになった。本発明は、このようなＩＣタグに記憶した情報を簡単に読み取って活用したり、所望の情報をＩＣタグに記録できるようにするものである。
【００１８】
ＩＣタグ５の取り付け法としては、接着剤（粘着剤を含む）で固着するのが便利である。具体的には、マウスパッド本体２に微小な凹部を設けて、そこにＩＣタグ５を嵌め込んで固着するのが好ましい。その上から表面シートを貼り付けることにより、ＩＣタグ５をマウスパッドに埋め込んだ状態としてもよく、場合によっては、マウスパッドの中間層にＩＣタグ５を埋め込んでおいてもよい。なお、一つのマウスパッド１に複数のＩＣタグ５を取り付けておき、選択的に読み取るようにすると便利である。この場合、マウスパッド本体の表面の、ＩＣタグ５を埋め込んだ位置に、当該ＩＣタグ５の内容がわかるような見出しないしは印をつけておくのが望ましい。
【００１９】
図３は、本発明の情報処理システムと、ＩＣタグ５とリーダ１０の構成の概略を表す図で、このＩＣタグ５は、無線通信用のアンテナ２０と、変復調回路２１と、制御回路２２と、電源回路２３と、メモリ２４を備えている。電源回路２３は、アンテナ２０はコイルであり、このコイルに生じた電磁誘導による電流を整流し所定の電圧を制御回路２２に供給する。制御回路２２は、電源回路２３からの電圧によって起動され、メモリ２４に記憶されている情報を読み出して、変復調回路２１を介してリーダとの間で無線通信を行う。メモリ２４には、当該ＩＣタグ５の識別ＩＤも格納されているが、用途等によっては、各ＩＣタグ５を識別する識別ＩＤを省略することも可能である。
【００２０】
一方、リーダ１０は、アンテナ３０と、変復調回路３１と、制御回路３２と、電源回路３３を備えている。リーダ１０の上記電源回路３３は、電池、キャパシタ等の電力を制御回路３２に供給し、制御回路３２は操作装置３５から入力される指令に基づき無線でＩＣタグ５と通信する。このリーダ１０は、マウス４０に付設されていて、例えばパソコン５０に接続して使用される。ＩＣタグ５の情報を読み取る一般的なリーダには、押しボタンやキーからなる操作手段や、液晶等のディスプレイ、アラーム等を設けておく必要があるが、本実施形態では、リーダをパソコン操作用のマウスに組み込んでおくことにより、これらを省略することができる。すなわち、リーダ１０の操作手段としては、マウスのクリックボタンを利用することができ、ディスプレイ等はパソコンのディスプレイ等を利用することができる。マウス４０に、リーダ１０を操作するためのスイッチ（例えばボタンスイッチ）等を別途設けておいてもよい。このようにしておくと、誤操作を防ぐことができる。なお、リーダ１０とＩＣタグ５との無線通信に際しては、ＩＣタグ５のメモリに格納されている識別ＩＤを検知し、目的とするＩＣタグと通信することも可能である。
【００２１】
このマウスパッド１は、マウスパッド本体２にＩＣタグ５が取り付けられているので、このＩＣタグ５を情報源として利用することができる。例えば、このマウスパッド１を宣伝媒体として利用することができる。すなわち、ＩＣタグ５のメモリに商品の宣伝や会社の広告を記憶したマウスパッド１を頒布すれば、これを使用する人がその内容を読み取ることになるので、大きな宣伝効果を期待することができる。
【００２２】
また、このマウスパッド１のＩＣタグ５に、パソコン操作のための支援データを記録しておき、これをパソコン操作用の支援ツールとして利用することもできる。例えば、マウスパッド１のＩＣタグ５に、表計算用のフォーマットや会議書類用の書式を記録しておけば、パソコン画面上でこれらをわざわざ選択して表示しなくても、マウスを操作してＩＣタグ５から直接読み取ることができるようになり、手軽に画面上に表示することができるので便利である。また、パソコンの使用モードの変更、例えば文書を作成する場合におけるカナ入力とローマ字入力の切り替え等をＩＣタグ５を利用して簡単に行えるようにすることも可能である。
【００２３】
さらに、このマウスパッド１のＩＣタグ５に地図や観光地の情報を記録したものをパーティや観光地等の土産とすることもできる。また、ＩＣタグ５に美麗な絵や写真を記録しておけば、パソコンモニターで疲れた目を癒す効果も期待できる。
【００２４】
マウスパッド１に取り付けておくＩＣタグ５のメモリとしては、ＲＯＭに限らず、ＲＡＭを備えておくのも効果的である。このような読み書き自在なメモリを備えておけば、必要に応じて、パソコンの画像情報等を直接読み込んで記憶しておいたり、記憶されている情報の書き換えや追加、訂正を適宜行うことができるので、情報源としての用途はさらに拡大する。
【００２５】
次に、上記ＩＣタグ５をマウスパッドに取り付ける最も簡単な方法は、接着剤（粘着剤）で貼り付ける方法である。このため、マウスパッド本体２に対する取り付け手段として、ＩＣタグ５の片面に予め粘着剤を塗布しておくと便利である。この場合、粘着剤層６０の上に離型紙６１を貼り付けておけばよい。なお、ＩＣタグ５は微小な物であるから、その片面に該ＩＣタグよりも寸法の大きい例えば円形や多角形の台紙（紙に限らず、合成樹脂等のシートでもよい）６２を接着剤等で固着しておき、その台紙の外面にマウスパッド本体２に対する固着用の粘着剤を塗布しておくと便利である。台紙の大きさは、外径数ｍｍ乃至数十ｍｍ程度で十分である。マウスパッドに取り付ける前のものには、図４に示すように、粘着剤層６０を覆う離型紙６１を貼り付けておけばよい。このようにＩＣタグ５に手頃な大きさの台紙を取り付けた物は、他の用途に使用するＩＣタグにも適用することができる。例えば、従来広く使用されているように、商品や所持品等に取り付けるＩＣタグにも、上記のような粘着剤（接着剤）付きの台紙を取り付けておけば、取り扱いや管理が容易となり、紛失等も防ぐことができる。
【００２６】
さらに、微小なＩＣタグを流通過程等で個別に取り扱うのは煩雑であり、紛失の恐れもある。これを避けるため、図５に示すように、上記マウスパッド本体２に対する固着手段を備えた記憶内容の異なる複数のＩＣタグ５を共通のシート７０に取り付けておくのが好ましい。シート７０の材質としては、紙、木材、プラスチック、金属等、適当なものを使用することができる。この複数のＩＣタグ５を保持したＩＣタグ保持シート７０を販売し、需要家がそのシートから任意のＩＣタグ５を適宜取り外してマウスパッド本体２に取り付けるようにすれば、紛失等の恐れがなく、種々の情報を記憶した複数のＩＣタグを簡単に選択して取り付けることができるようになる。また、上記複数のＩＣタグを保持したＩＣタグ保持シート７０を、そのままマウスパッド本体２に取り付けるようにすることも可能である。この場合は、ＩＣタグ保持シート７０の裏面に粘着剤層６０を設け、離型紙６１で保護しておけばよい。このように、１枚のシート７０に複数のＩＣタグ５を予め取り付けたものをマウスパッド本体２に取り付ければ、簡単な作業で複数のＩＣタグを同時に取り付けることができるので、きわめて便利である。
【００２７】
なお、以上の説明では、ボール式のマウスを例にとって説明したが、最近広く使用されるようになった光学式マウスの場合も同様であることは言うまでもない。
【産業上の利用可能性】
【００２８】
以上の説明から明らかなように、本発明は、従来単なるパソコン操作用の補助品であったマウスパッドをコンピュータに取り込むことのできる情報源として有効に利用することが可能となり、各種ビジネスや趣味に活用して便利な物である。
【図面の簡単な説明】
【００２９】
【図１】マウスパッドの外観図である。
【図２】その断面図である。
【図３】情報処理システムの構成を例示するブロック図である。
【図４】ＩＣタグに台紙を設けた例を表す断面図である。
【図５】ＩＣタグ保持シートの説明図である。
【符号の説明】
【００３０】
１      マウスパッド
２      マウスパッド本体
５      ＩＣタグ
４０      マウス
５０      パソコン
６０      粘着剤層
６１      離型紙
７０      シート
【図１】
2006318133.tif 000003
【図２】
2006318133.tif 000004
【図３】
2006318133.tif 000005
【図４】
2006318133.tif 000006
【図５】
2006318133.tif 000007